Podtech/llm-jp-corpus-v4-ja_patent huggingface dataset:
【手続補正書】
【提出日】平成28年12月1日(2016.12.1)
【手続補正１】
【補正対象書類名】特許請求の範囲
【補正対象項目名】全文
【補正方法】変更
【補正の内容】
【特許請求の範囲】
【請求項１】
内燃機関用の汚染制御システムであって、
電源に電気接続されたマイクロコントローラと、
各々が、エンジン温度及びエンジンＲＰＭを含むエンジンの操作パラメータを測定するように構成される、マイクロコントローラに接続された複数のセンサーと、
エンジンにおけるブローバイガスの流量の調節のために、マイクロコントローラに電気接続され、且つそこから制御信号に応答する、ＰＣＶバルブ
とを含み；
ここで、前記マイクロコントローラは３つの操作状態を有し、該３つの操作状態は：
点火と、好ましいアイドル温度／操作温度に到達するエンジン温度との間のエンジン状態に対応する第１の操作状態であって、前記マイクロコントローラはバルブを閉じる、第１の操作状態と、
エンジン温度が好ましいアイドル温度／操作温度に到達した後のエンジン状態に対応する第２の操作状態であって、エンジンＲＰＭが予め定められたＲＰＭの低／高ウィンドウ内にある場合に、前記マイクロコントローラはＣＶバルブを開く、第２の操作状態と、
エンジン温度が好ましいアイドル温度／操作温度に到達し、且つＲＰＭが予め定めた期間の間、予め定められたＲＰＭの低／高ウィンドウ内となった後の、エンジン状態に対応する第３の操作状態であって、前記マイクロコントローラは、ＲＰＭが予め定められた低−高ウィンドウ内にある限り、定期的にＰＣＶバルブを開閉する、第３の操作状態、
とを含む、ことを特徴とする汚染制御システム。
【請求項２】
ＰＣＶバルブは、エンジンにおける真空圧力を調節するために開放位置と閉鎖位置との間で移動可能である、ことを特徴とする請求項１に記載のシステム。
【請求項３】
複数のセンサーは、エンジン温度センサー、点火プラグセンサー、バッテリーセンサー、ＰＣＶバルブセンサー、エンジンＲＰＭセンサー、加速度センサー、又は排気ガスセンサーを含む、ことを特徴とする請求項１に記載のシステム。
【請求項４】
マイクロコントローラは、信号線、ＰＣＶ制御線、及び電源線を含む、ことを特徴とする請求項１に記載のシステム。
【請求項５】
エンジンの点火がオンの場合に限り、マイクロコントローラに動力が供給される、ことを特徴とする請求項１に記載のシステム。
【請求項６】
マイクロコントローラは、プログラム可能且つ再プログラム可能な固体メモリーを含む、ことを特徴とする請求項１に記載のシステム。
【請求項７】
ＰＣＶバルブは、エンジン上のクランクケース及び吸気マニホルドと流体連通下にある、ことを特徴とする請求項１乃至６の何れか１項に記載のシステム。
【請求項８】
マイクロコントローラは、ＰＣＶバルブを通るブローバイガスの流量を調節するために、ＰＣＶバルブ内で絞り機構を操作する、ことを特徴とする請求項７に記載のシステム。
【請求項９】
マイクロコントローラは、作られているブローバイガスの量に基づいて、クランクケースから吸気マニホルドまでのブローバイガスの流量を調節する、ことを特徴とする請求項７に記載のシステム。
【請求項１０】
マイクロコントローラは、センサーにより測定されるエンジンの操作パラメータに基づき、作られているブローバイガスの量を決定する、ことを特徴とする請求項９に記載のシステム。
【請求項１１】
マイクロコントローラが、
制御処理装置に接続されるプログラム可能なフラッシュメモリーと、
メモリーと制御処理装置に接続される電源入力と、
制御処理装置に接続されるセンサー入力であって、センサー入力はエンジンセンサーからデータを受信するように構成される、センサー入力と、
制御処理装置に接続される信号出力であって、信号出力は、エンジンにおけるブローバイガスの流量を調節するＰＣＶバルブの操作を制御するために、制御処理装置から信号を送信する、信号出力
とを含む、ことを特徴とする請求項１に記載のシステム。
【請求項１２】
制御処理装置は、信号出力を通じて複数の操作信号を送信するように構成される、ことを特徴とする請求項１１に記載のシステム。
【請求項１３】
第１の操作信号が第１の操作状態に対応し、第２の操作信号が第２の操作状態に対応し、第３の操作信号が第３の操作状態に対応する、ことを特徴とする請求項１２に記載のシステム。
【請求項１４】
エンジンセンサーは、エンジンＲＰＭ、エンジン温度、エンジントルク、又はクランクケース圧力に関するデータを送信するように構成される、ことを特徴とする請求項１１乃至１３の何れか１項に記載のシステム。
【手続補正書】
【提出日】平成29年10月13日(2017.10.13)
【手続補正１】
【補正対象書類名】特許請求の範囲
【補正対象項目名】全文
【補正方法】変更
【補正の内容】
【特許請求の範囲】
【請求項１】
無線デバイスの位置を取得するステップと、
前記無線デバイスの近くにある複数のセンシングデバイスを識別するステップと、
個々の無線ホワイトスペースチャネルに関連する、前記複数のセンシングデバイスによりセンシングされた信号情報を取得するステップと、
前記複数のセンシングデバイスからの前記信号情報を集合的に解析して、前記個々の無線ホワイトスペースチャネルが、前記位置における前記無線デバイスによる使用のために利用可能であるかどうかを判定するステップであって、前記集合的に解析することは、前記信号情報の総電力の解析及び位相の解析を含む、ステップと、
前記集合的に解析することにより、前記個々の無線ホワイトスペースチャネルが、前記位置における前記無線デバイスによる使用のために利用可能であると判定された場合、前記集合的に解析することにより、前記個々の無線ホワイトスペースチャネルが、前記位置における前記無線デバイスによる使用のために利用可能でないと判定された場合よりも頻繁に、前記複数のセンシングデバイスに、前記個々の無線ホワイトスペースチャネルを再センシングさせるステップと、
を含む方法。
【請求項２】
前記集合的に解析することにより、認可されている使用が前記信号情報内に存在するというインジケーションが提供された場合、前記個々の無線ホワイトスペースチャネルは、前記無線デバイスによる使用のために利用可能でない、請求項１記載の方法。
【請求項３】
前記信号情報を取得するステップは、前記無線デバイスの前記位置を取得した後に、前記複数のセンシングデバイスに、前記個々の無線ホワイトスペースチャネルをセンシングさせるステップを含む、請求項１記載の方法。
【請求項４】
前記信号情報を取得するステップは、前記複数のセンシングデバイスに、連続的に又は周期的に前記個々の無線ホワイトスペースチャネルをセンシングさせるステップを含む、請求項１記載の方法。
【請求項５】
前記信号情報を取得するステップは、前記複数のセンシングデバイスの位置をカバーしており、前記個々の無線ホワイトスペースチャネルを含む無線ホワイトスペースチャネルのセットを受け入れている規制データベースにアクセスするステップを含む、請求項１記載の方法。
【請求項６】
前記信号情報を取得するステップは、前記複数のセンシングデバイスに、連続的に又は周期的に前記無線ホワイトスペースチャネルのセットをセンシングさせるステップをさらに含む、請求項５記載の方法。
【請求項７】
システムであって、
センシングデータベースと、
無線スペクトルマネージャと、
領域内で互いから離間している複数のセンシングデバイスであって、個々のセンシングデバイスは、アナログ−デジタルコンバータに接続されているアンテナ及びコントローラを含み、前記アンテナは、無線チャネル上の信号をセンシングするよう構成されており、前記コントローラは、前記無線チャネル上の前記のセンシングされた信号を、前記アナログ−デジタルコンバータによりデジタル化させ、前記のデジタル化された信号を、前記センシングデータベースに通信させるよう構成されている、複数のセンシングデバイスと、
を有し、
前記センシングデータベースは、前記複数のセンシングデバイスに通信可能に接続され、個々のセンシングされた無線チャネルに関するセンシングされた電力情報及び位相情報を、センシングを実行した前記個々のセンシングデバイスの位置と、前記個々のセンシングデバイスがセンシングを実行した時間と、にマッピングするよう構成されており、
前記無線スペクトルマネージャは、前記のマッピングされたセンシングされた電力情報及び位相情報を使用して、前記領域内の位置において無線デバイスが利用できる特定の個々のセンシングされた無線チャネルを識別するよう構成されており、
前記無線スペクトルマネージャは、前記特定の個々のセンシングされた無線チャネルを、前記無線デバイスによる使用のために利用可能でない別の無線チャネルよりも頻繁に、前記複数のセンシングデバイスのうちの少なくとも１つのセンシングデバイスに、再センシングさせるようさらに構成されている、システム。
【請求項８】
前記無線スペクトルマネージャは、前記センシングデータベースと前記無線チャネルに関連する他のデータベースとにアクセスし、前記センシングデータベース及び前記他のデータベースからの情報に基づいて、前記複数のセンシングデバイスを制御するようさらに構成されている、請求項７記載のシステム。
【請求項９】
前記無線スペクトルマネージャは、特定の個々の無線チャネルに関連する、前記複数のセンシングデバイスからのデジタル化された信号を集合的に解析して、前記特定の個々の無線チャネルが、前記領域においてどのように利用されているかを判定するようさらに構成されている、請求項７又は８記載のシステム。
【請求項１０】
コンピュータのプロセッサにより実行されたときに前記コンピュータに方法を実行させるコンピュータプログラムであって、前記方法は、
領域内の複数のセンシングデバイスに無線チャネルをセンシングさせるステップと、
個々の無線チャネルに関連する、前記複数のセンシングデバイスによりセンシングされた信号電力情報及び信号位相情報を取得するステップと、
前記複数のセンシングデバイスからの前記信号電力情報及び前記信号位相情報を集合的に解析して、前記個々の無線チャネルが、前記領域内で、認可されている放送のために使用されているかどうかを判定するステップと、
前記集合的に解析することにより、前記個々の無線チャネルが、前記領域内の位置における無線デバイスによる使用のために利用可能であると判定された場合、前記集合的に解析することにより、前記個々の無線チャネルが、前記位置における前記無線デバイスによる使用のために利用可能でないと判定された場合よりも頻繁に、前記複数のセンシングデバイスに、前記個々の無線チャネルを再センシングさせるステップと、
を含む、コンピュータプログラム。
【手続補正書】
【提出日】平成29年11月2日(2017.11.2)
【手続補正１】
【補正対象書類名】特許請求の範囲
【補正対象項目名】全文
【補正方法】変更
【補正の内容】
【特許請求の範囲】
【請求項１】
ビデオカメラにより取得されたフレームセットを格納するよう構成されるメモリと、
プロセッサ及び前記メモリに接続するよう構成されるインタフェースと、
を有し、前記プロセッサは、
前記ビデオカメラが前記フレームセットのメンバを取得する間に前記ビデオカメラがどのように移動したかを記述する動きデータを生成し、前記動きデータは、前記ビデオカメラにより生成されるジャイロスコープのデータ、前記ビデオカメラにより生成される加速度計データ、単一フレーム動き分析、又はフレーム間動き分析の関数であり、
前記フレームセットのメンバが連続ビデオ表示として又は選択された静止フレームとして表示されるかを、前記動きデータに少なくとも部分的に基づき制御し、前記動きデータが動き閾を満たさない間に取得された第１フレームシリーズのメンバは、第１不連続表示モードで提示され、前記動きデータが前記動き閾を満たす間に取得された第２フレームシリーズは、第２連続表示モードで提示され、
各メンバが、カメラの動きに関連付けられる、閾量より大きなダメージを示すか否かの決定に基づき、前記フレームセットのメンバが表示されるか表示されないかを制御し、前記ダメージは信号対雑音比に基づき計算される、
装置。
【請求項２】
前記プロセッサは、前記動きデータに少なくとも部分的に基づき、前記ビデオカメラのフレームキャプチャパラメータを制御し、前記フレームキャプチャパラメータは、フレームキャプチャレート又はシャッタスピードである、請求項１に記載の装置。
【請求項３】
前記動きデータは、フレーム毎の動きデータ又はクリップ毎の動きデータを有する、請求項２に記載の装置。
【請求項４】
前記プロセッサは、前記フレーム毎の動きデータに基づき前記フレームセットの個々のメンバを選択的に除外し、前記クリップ毎の動きデータに基づき前記フレームセットの個々のメンバを選択的に除外し、又は前記クリップ毎の動きデータに基づき前記フレームセットのメンバの部分集合を選択的に除外する、請求項３に記載の装置。
【請求項５】
前記クリップ毎の動きデータは、ブラーに貢献するフレームを識別する、請求項３に記載の装置。
【請求項６】
前記クリップ毎の動きデータは、連続性基準を満たさないフレームシリーズを識別する、請求項３に記載の装置。
【請求項７】
前記プロセッサは、前記連続性基準を満たさない前記フレームシリーズを除外する、請求項６に記載の装置。
【請求項８】
前記単一フレーム動き分析は、動きアーチファクト、信号対雑音比、又はその両者の識別を有する、請求項１に記載の装置。
【請求項９】
前記フレーム間動き分析は、オブジェクト間の位置合わせ、オブジェクト間の連続性、又はその両者の検査を有する、請求項１に記載の装置。
【請求項１０】
前記動きデータは、明らかな動きを報告する、請求項１に記載の装置。
【請求項１１】
前記メモリは、前記フレームセットのうちの１又は複数のフレームに関連付けられるメタデータを格納するよう構成される、請求項１に記載の装置。
【請求項１２】
前記メタデータは、センサデータ、動き分析データ、インクルード値、エクスクルード値、又はそれらの任意の組合せ有する、請求項１１に記載の装置。
【手続補正書】
【提出日】平成29年11月16日(2017.11.16)
【手続補正１】
【補正対象書類名】特許請求の範囲
【補正対象項目名】全文
【補正方法】変更
【補正の内容】
【特許請求の範囲】
【請求項１】
ワイヤレス通信の第1の無線アクセス技術(RAT)を使用するセルラー通信を確立するための方法であって、
無認可スペクトルの未使用の部分における1つまたは複数の帯域を決定するステップであって、前記1つまたは複数の帯域が第2のRATの1つまたは複数のガード帯域を含む、ステップと、
前記第2のRATの前記1つまたは複数のガード帯域に前記第1のRATを使用する前記セルラー通信のための1つまたは複数のキャリアを配置するステップと、
前記1つまたは複数のキャリアを使用して前記無認可スペクトルを介した前記セルラー通信を実行するステップと
を含み、
前記1つまたは複数のキャリアがWi-Fiガード帯域に配置された1次コンポーネントキャリア(PCC)を含み、前記Wi-Fiガード帯域が前記第2のRATの前記1つまたは複数のガード帯域のうちの1つである、方法。
【請求項２】
前記第1のRATがロングタームエボリューション(LTE)であり、前記第2のRATがワイヤレスローカルエリアネットワーク(WLAN)に接続しているWi-Fiである、請求項1に記載の方法。
【請求項３】
前記セルラー通信が前記無認可スペクトルを介したLTEまたはLTEアドバンスト通信を含む、請求項1に記載の方法。
【請求項４】
前記1つまたは複数のキャリアが、制御チャネル、2次コンポーネントキャリア(SCC)、制御プレーン、サービス品質シグナリング、1次同期信号(PSS)、2次同期信号(SSS)、ブロードキャストチャネル(BCH)、または1次セル(PCell)セル固有の基準信号(CRS)のうちの1つまたは複数を含む、請求項1に記載の方法。
【請求項５】
前記セルラー通信が補助ダウンリンク(SDL)モードまたはキャリアアグリゲーション(CA)モードであり、前記配置するステップが、
前記1つまたは複数の帯域における1つまたは複数の2次コンポーネントキャリア(SCC)をアグリゲートするステップ
を含む、請求項1に記載の方法。
【請求項６】
前記配置するステップが、
前記1つまたは複数のキャリアを多重化するために前記1つまたは複数の帯域において周波数分割多重を実行するステップ
を含む、請求項1に記載の方法。
【請求項７】
ユーザ機器からのチャネル品質インジケータ(CQI)フィードバックに基づいて前記1つまたは複数のキャリアを調整するステップ
をさらに含む、請求項1に記載の方法。
【請求項８】
前記配置するステップがユーザ機器のチャネル状態測定値に基づく、請求項1に記載の方法。
【請求項９】
前記配置するステップが前記1つまたは複数の帯域にわたる不均一な隣接チャネル干渉に基づき、前記方法が、
より多くの送信電力を、前記1つまたは複数の帯域の他の部分と比べてより低い干渉を有する前記1つまたは複数の帯域の一部分に割り振るステップ
をさらに含む、請求項1に記載の方法。
【請求項１０】
ワイヤレス通信のための第1の無線アクセス技術(RAT)を使用するセルラー通信を確立するための装置であって、
無認可スペクトルの未使用の部分における1つまたは複数の帯域を決定するための手段であって、前記1つまたは複数の帯域が第2のRATの1つまたは複数のガード帯域を含む、手段と、
前記第2のRATの前記1つまたは複数のガード帯域に前記第1のRATを使用する前記セルラー通信のための1つまたは複数のキャリアを配置するための手段と、
前記1つまたは複数のキャリアを使用して前記無認可スペクトルを介した前記セルラー通信を実行するための手段と
を備え、
前記1つまたは複数のキャリアがWi-Fiガード帯域に配置された1次コンポーネントキャリア(PCC)を含み、前記Wi-Fiガード帯域が前記第2のRATの前記1つまたは複数のガード帯域のうちの1つである、装置。
【請求項１１】
前記第1のRATがロングタームエボリューション(LTE)であり、前記第2のRATがワイヤレスローカルエリアネットワーク(WLAN) に接続しているWi-Fiである、請求項10に記載の装置。
【請求項１２】
前記セルラー通信が前記無認可スペクトルを介したLTEまたはLTEアドバンスト通信を含む、請求項10に記載の装置。
【請求項１３】
前記1つまたは複数のキャリアが、制御チャネル、2次コンポーネントキャリア(SCC)、制御プレーン、サービス品質シグナリング、1次同期信号(PSS)、2次同期信号(SSS)、ブロードキャストチャネル(BCH)、または1次セル(PCell)セル固有の基準信号(CRS)のうちの1つまたは複数を含む、請求項10に記載の装置。
【請求項１４】
前記セルラー通信が補助ダウンリンク(SDL)モードまたはキャリアアグリゲーション(CA)モードであり、前記配置するための手段が、
前記1つまたは複数の帯域における1つまたは複数の2次コンポーネントキャリア(SCC)をアグリゲートする
ことによって、前記1つまたは複数の帯域に前記セルラー通信のための前記1つまたは複数のキャリアを配置する、または、
前記配置するための手段が、
前記1つまたは複数のキャリアを多重化するために前記1つまたは複数の帯域において周波数分割多重を実行する
ことによって、前記1つまたは複数の帯域に前記セルラー通信のための前記1つまたは複数のキャリアを配置する、または、
ユーザ機器からのチャネル品質インジケータ(CQI)フィードバックに基づいて前記1つまたは複数のキャリアを調整するための手段
をさらに備える、または、
前記配置するための手段が、前記1つまたは複数の帯域にわたる不均一な隣接チャネル干渉に基づいて、前記1つまたは複数の帯域に前記セルラー通信のための前記1つまたは複数のキャリアを配置し、前記装置が、
より多くの送信電力を、前記1つまたは複数の帯域の他の部分と比べてより低い干渉を有する前記1つまたは複数の帯域の一部分に割り振るための手段
をさらに備える、請求項10に記載の装置。
【請求項１５】
ワイヤレス通信のためのコンピュータプログラムであって、請求項1から9のいずれか一項に記載の方法を実行するように構成されるコードを含む、コンピュータプログラム。
【手続補正書】
【提出日】平成29年10月23日(2017.10.23)
【手続補正１】
【補正対象書類名】特許請求の範囲
【補正対象項目名】全文
【補正方法】変更
【補正の内容】
【特許請求の範囲】
【請求項１】
少なくとも二つの調光プロトコルからの調光入力を受け取ることの可能な入力インタフェースであって、前記調光入力は、パルス波変調（ＰＷＭ）信号または直流（ＤＣ）電圧信号のいずれかの形態である、入力インタフェースと、
前記入力インタフェースから前記調光入力を受け取り、受け取った前記調光入力がＰＷＭ信号またはＤＣ電圧信号のいずれであるかに基づいて、受け取った調光プロトコルを判別し、該調光プロトコルに従って前記調光入力を処理するように動作可能である入力プロセッサと、
複数の出力ポートを備える出力インタフェースであって、少なくとも一つの前記出力ポートが、処理された前記調光入力（入力プロセッサの出力）を少なくとも一つのＬＥＤドライバに送るように構成されている、出力インタフェースと、
を備える調光器システムであって、
前記少なくとも一つのＬＥＤドライバは、前記処理された調光入力に従って所望の輝度で複数の高出力ＬＥＤランプユニットを駆動するように動作可能である、調光器システム。
【請求項２】
前記少なくとも二つの調光プロトコルは、ディジタル・アドレッサブル・ライティング・インタフェース（ＤＡＬＩ）、電圧が０〜１０ボルトの範囲で可変のポテンショメータ制御、およびモーション検知制御プロトコルのうち少なくとも二つを含んでいる、請求項１に記載の調光器システム。
【請求項３】
前記複数の出力ポートは、複数のＲＪ４５ Ｅｔｈｅｒｎｅｔモジュラーコネクタを備えている、請求項１または２に記載の調光器システム。
【請求項４】
前記調光プロトコルがモーション検知制御プロトコルである場合に、前記調光器システムは、前記高出力ＬＥＤランプユニットが所望の輝度を維持すべき時間を決定するタイマーを備えている、請求項２に記載の調光器システム。
【請求項５】
前記入力プロセッサは主制御ユニットを備えており、前記主制御ユニットは、前記調光入力を受け取り、あるデューティサイクルを有するＰＷＭ信号の形態で前記出力を供給するように動作可能である、請求項４に記載の調光器システム。
【請求項６】
前記入力プロセッサは、ＰＷＭコンバータを更に備えており、動作中、前記ＰＷＭコンバータを動作させるために、前記デューティサイクルを有する前記ＰＷＭ信号を受け取ると、前記ＰＷＭ信号が動作用ＤＣ電圧に変換され、前記出力インタフェースへ送られる、請求項５に記載の調光器システム。
【請求項７】
変換後の前記動作用ＤＣ電圧が約１．５〜５ボルトである、請求項６に記載の調光器システム。
【請求項８】
前記入力インタフェースは、ＰＷＭモジュール、ポテンショメータモジュール、またはモーションセンサインタフェースから調光入力を受け取るように構成されている、請求項１〜７のいずれか一項に記載の調光器システム。
【請求項９】
前記ＰＷＭモジュール、前記ポテンショメータモジュール、および前記モーションセンサインタフェースから調光入力を受け取るための入力ラインを更に備える、請求項８に記載の調光器システム。
【請求項１０】
前記入力ラインで受け取られた前記調光入力が、入力信号レギュレーションユニットへ送られる、請求項９に記載の調光器システム。
【請求項１１】
前記入力信号レギュレーションユニットは、ＰＷＭ信号またはモーションセンサ信号を検出するための第１の入力と、ポテンショメータ信号を検出するための第２の入力とを備えている、請求項１０に記載の調光器システム。
【請求項１２】
前記第１の入力で受信されるＤＣ信号が無視され、前記第２の入力で受信されるＡＣ信号が無視される、請求項１１に記載の調光器システム。
【請求項１３】
１００Ｈｚ〜２ｋＨｚの範囲内と検出される周波数を有する前記ＰＷＭ信号が通常のＰＷＭ信号と判断され、２５Ｈｚ〜８０Ｈｚの範囲内と検出される周波数を有する前記ＰＷＭ信号がモーションセンサ信号と判断される、請求項１０〜１２のいずれか一項に記載の調光器システム。
【請求項１４】
１００Ｈｚ〜２ｋＨｚの範囲内と検出される周波数を有する前記ＰＷＭ信号が通常のＰＷＭ信号と判断され、２．５ｋＨｚ〜３ｋＨｚの範囲内と検出される周波数を有する前記ＰＷＭ信号がモーションセンサ信号と判断される、請求項１０〜１２のいずれか一項に記載の調光器システム。
【請求項１５】
請求項１〜１４のいずれか一項に記載の調光器システムを備えるランプシステムであって、
前記少なくとも一つの出力ポートが別の調光器システムの入力インタフェースに接続される、ランプシステム。
【請求項１６】
請求項１〜１４のいずれか一項に記載の調光器システムを備える電気回路であって、前記調光器システムが、非絶縁構成を有する前記電気回路の二次端に設けられている、電気回路。
【請求項１７】
請求項１〜１４のいずれか一項に記載の調光器システムを備える電気回路であって、前記調光器システムが、絶縁構成を有する前記電気回路の二次端に設けられている、電気回路。
【請求項１８】
調光信号を処理して電気出力に提供する方法であって、
少なくとも二つの調光プロトコルからの調光入力を受け取るステップであって、前記調光入力は、パルス波変調（ＰＷＭ）信号または直流（ＤＣ）電圧信号の形態である、ステップと、
受け取った前記調光入力がＰＷＭ信号またはＤＣ電圧信号のいずれであるかに基づいて、前記受け取った調光入力の調光プロトコルを判別し、該調光プロトコルに従って前記調光入力を処理するステップと、
処理された前記調光入力を、調光用の少なくとも一つのＬＥＤドライバに送るステップと、
を備え、前記少なくとも一つのＬＥＤドライバは、前記処理された調光入力に従って所望の輝度で複数の高出力ＬＥＤランプユニットを駆動するように動作可能である、方法。
【請求項１９】
前記少なくとも二つの調光プロトコルは、ディジタル・アドレッサブル・ライティング・インターフェース（ＤＡＬＩ）、電圧が０〜１０ボルトの範囲で可変のポテンショメータ制御、およびモーション検知制御プロトコルのうち少なくとも二つを含んでいる、請求項１８に記載の方法。
【請求項２０】
前記調光プロトコルがモーション検知制御プロトコルである場合に、前記高出力ＬＥＤランプユニットが所望の輝度を維持すべき時間がタイマーを使用して決定される、請求項１８または１９に記載の方法。
【手続補正書】
【提出日】平成29年10月10日(2017.10.10)
【手続補正１】
【補正対象書類名】特許請求の範囲
【補正対象項目名】全文
【補正方法】変更
【補正の内容】
【特許請求の範囲】
【請求項１】
Ｄｉａｍｅｔｅｒメッセージをルーティングするための方法であって、
Ｄｉａｍｅｔｅｒルーティングノードで、
Ｄｉａｍｅｔｅｒルーティングコントローラ（ＤＲＣ）からソフトウェア定義ネットワーク（ＳＤＮ）関連インターフェイスを介してＤｉａｍｅｔｅｒルーティング情報を受信することを含み、前記Ｄｉａｍｅｔｅｒルーティング情報はアプリケーション層情報を使用して判断され、前記方法はさらに、
前記Ｄｉａｍｅｔｅｒルーティング情報を使用してＤｉａｍｅｔｅｒメッセージをルーティングすることを含む、方法。
【請求項２】
前記Ｄｉａｍｅｔｅｒルーティング情報は切換え情報を含み、前記Ｄｉａｍｅｔｅｒルーティング情報を使用して前記Ｄｉａｍｅｔｅｒメッセージをルーティングすることは、前記切換え情報を使用して前記Ｄｉａｍｅｔｅｒメッセージを切換えることを含む、請求項１に記載の方法。
【請求項３】
前記Ｄｉａｍｅｔｅｒルーティング情報は、前記Ｄｉａｍｅｔｅｒルーティングノードが、Ｄｉａｍｅｔｅｒセッションを起動するためのＤｉａｍｅｔｅｒ要求メッセージを受信した後に、前記Ｄｉａｍｅｔｅｒルーティング情報について前記ＤＲＣに問合せることに応答して、受信される、請求項１または２に記載の方法。
【請求項４】
前記Ｄｉａｍｅｔｅｒルーティング情報は、ネットワークオーケストレータまたは前記ＤＲＣが、現在の状態または予測された将来の状態に基づいて、前記Ｄｉａｍｅｔｅｒルーティングノードが前記Ｄｉａｍｅｔｅｒルーティング情報を受信すべきであると判断することに応答して、受信される、請求項１または２に記載の方法。
【請求項５】
Ｄｉａｍｅｔｅｒセッションに関連付けられた第２のＤｉａｍｅｔｅｒメッセージを受信することと、
前記Ｄｉａｍｅｔｅｒルーティング情報を使用して前記第２のＤｉａｍｅｔｅｒメッセージをルーティングすることとを含む、請求項１〜４のいずれか１項に記載の方法。
【請求項６】
前記ＳＤＮ関連インターフェイスは、ＯｐｅｎＦｌｏｗプロトコルインターフェイス、一般ルーティングカプセル化を使用するネットワーク仮想化（ＮＶＧＲＥ）プロトコルインターフェイス、仮想拡張可能ＬＡＮ（ＶＸＬＡＮ）プロトコルインターフェイス、転送および制御要素分離（ＦｏｒＣＥＳ）プロトコルインターフェイス、ロケータ／ＩＤ分離プロトコル（ＬＩＳＰ）インターフェイス、オープンｖスイッチデータベース管理（ＯＶＳＤＢ）プロトコルインターフェイス、ボーダーゲートウェイプロトコル（ＢＧＰ）インターフェイス、ＢＧＰリンク状態（ＢＧＰ−ＬＳ）プロトコルインターフェイス、経路計算要素プロトコル（ＰＣＥＰ）インターフェイス、ネットワーク構成（ＮＥＴＣＯＮＦ）プロトコルインターフェイス、単純ネットワーク管理プロトコル（ＳＮＭＰ）インターフェイス、またはＤｉａｍｅｔｅｒプロトコルインターフェイスを含む、請求項１〜５のいずれか１項に記載の方法。
【請求項７】
前記ＤＲＣは、ポリシーおよび課金ルール機能（ＰＣＲＦ）、オフライン課金システム（ＯＦＣＳ）、またはネットワークオーケストレータを含む、請求項１〜６のいずれか１項に記載の方法。
【請求項８】
前記ＤＲＣはネットワークオーケストレータと通信するように構成され、前記ネットワークオーケストレータは、ネットワーク状態を監視または予測し、前記監視または予測されたネットワーク状態に基づいてさまざまなネットワークリソースを割当てるかまたは再度割当てるように構成されている、請求項１〜７のいずれか１項に記載の方法。
【請求項９】
前記Ｄｉａｍｅｔｅｒルーティング情報は、宛先ノードまたは第２のＤｉａｍｅｔｅｒルーティングノードに関連付けられたアドレス情報、レイヤ２情報、レイヤ３情報、レイヤ４情報、レイヤ５情報、レイヤ６情報、レイヤ７情報、切換え情報、インターネットプロトコル（ＩＰ）アドレス、ポート情報、ユニフォーム・リソース・アイデンティファイア（ＵＲＩ）、Ｄｉａｍｅｔｅｒアプリケーション層情報、Ｄｉａｍｅｔｅｒ領域識別子（ＩＤ）、Ｄｉａｍｅｔｅｒコマンドコード、Ｄｉａｍｅｔｅｒノード名、または完全修飾ドメイン名（ＦＱＤＮ）を含む、請求項１〜８のいずれか１項に記載の方法。
【請求項１０】
Ｄｉａｍｅｔｅｒメッセージをルーティングするためのシステムであって、
Ｄｉａｍｅｔｅｒルーティングノードを備え、前記Ｄｉａｍｅｔｅｒルーティングノードは、
Ｄｉａｍｅｔｅｒルーティングコントローラ（ＤＲＣ）からＤｉａｍｅｔｅｒルーティング情報を受信するように構成されたソフトウェア定義ネットワーク（ＳＤＮ）関連インターフェイスを含み、前記Ｄｉａｍｅｔｅｒルーティング情報はアプリケーション層情報を使用して判断され、前記Ｄｉａｍｅｔｅｒルーティングノードはさらに、
前記Ｄｉａｍｅｔｅｒルーティング情報を使用してＤｉａｍｅｔｅｒメッセージをルーティングするように構成されたルーティングモジュールを備える、システム。
【請求項１１】
コンピュータ読取可能プログラムであって、コンピュータのプロセッサによって実行されると、前記コンピュータに以下のステップを処理させるコンピュータ実行可能命令を含み、前記以下のステップは、
Ｄｉａｍｅｔｅｒルーティングコントローラ（ＤＲＣ）からソフトウェア定義ネットワーク（ＳＤＮ）関連インターフェイスを介してＤｉａｍｅｔｅｒルーティング情報を受信することを含み、前記Ｄｉａｍｅｔｅｒルーティング情報はアプリケーション層情報を使用して判断され、前記以下のステップはさらに、
前記Ｄｉａｍｅｔｅｒルーティング情報を使用してＤｉａｍｅｔｅｒメッセージをルーティングすることを含む、コンピュータ読取可能プログラム。
【請求項１２】
コンピュータのプロセッサによって実行されると、前記コンピュータに、請求項１〜９のいずれか１項に記載の方法を実施させるコンピュータ実行可能命令を含む、コンピュータ読取可能プログラム。
【手続補正書】
【提出日】平成29年3月31日(2017.3.31)
【手続補正１】
【補正対象書類名】特許請求の範囲
【補正対象項目名】全文
【補正方法】変更
【補正の内容】
【特許請求の範囲】
【請求項１】
カスケードされた複数のシフトレジスタユニットと制御ユニットとを含み、
２つのシフトレジスタユニットは、１つのシフトレジスタ群とされると共に、前記制御ユニットを介して２本のゲート線に接続され、
前記制御ユニットは、前記２本のゲート線に駆動信号を提供するように、前記シフトレジスタ群におけるシフトレジスタユニットを制御する、ゲート駆動回路。
【請求項２】
前記制御ユニットは、第１の制御線と、第２の制御線と、前記シフトレジスタユニットに繋がる薄膜トランジスタとを含む、請求項１に記載のゲート駆動回路。
【請求項３】
前記制御ユニットは、複数対の薄膜トランジスタと、第１の制御線及び第２の制御線とを含み、
前記シフトレジスタ群における各シフトレジスタユニットは、１対の薄膜トランジスタを介して前記２本のゲート線に接続され、
前記第１の制御線及び第２の制御線は、それぞれ、複数対の薄膜トランジスタにおける各１対の薄膜トランジスタを制御し、各１対の薄膜トランジスタをそれぞれオン・オフにし、前記シフトレジスタ群におけるシフトレジスタユニットは、前記２本のゲート線に駆動信号を選択的に提供する、請求項１に記載のゲート駆動回路。
【請求項４】
前記シフトレジスタ群におけるそれぞれのシフトレジスタユニットは、２つの薄膜トランジスタを介してそれぞれ前記第１の制御線及び第２の制御線に接続され、前記２つの薄膜トランジスタは、ゲート電極がそれぞれ前記第１の制御線及び第２の制御線に接続され、ドレイン電極がそれぞれ前記２本のゲート線に接続され、ソース電極が前記シフトレジスタ群における相応の１つの前記シフトレジスタユニットの出力端に接続される、請求項２に記載のゲート駆動回路。
【請求項５】
前記１対の薄膜トランジスタは、ゲート電極がそれぞれ前記第１の制御線及び第２の制御線に接続され、ドレイン電極がそれぞれ前記２本のゲート線に接続され、ソース電極が前記シフトレジスタ群における相応の１つの前記シフトレジスタユニットの出力端に接続される、請求項３に記載のゲート駆動回路。
【請求項６】
制御ユニットは、２つの前後のフレーム走査においてそれぞれ前記２本のゲート線に駆動信号を提供するように、シフトレジスタ群におけるそれぞれのシフトレジスタユニットを制御する、請求項１〜５のいずれかに記載のゲート駆動回路。
【請求項７】
制御ユニットは、同じフレーム走査においてそれぞれ前記２本のゲート線に駆動信号を提供するように、シフトレジスタ群におけるシフトレジスタユニットを制御する、請求項１に記載のゲート駆動回路。
【請求項８】
前記第１の制御線及び第２の制御線は交互に高電位駆動信号を出力する、請求項２〜５のいずれかに記載のゲート駆動回路。
【請求項９】
前記２本のゲート線は、それぞれ、画素セルアレイにおける奇数列及び偶数列の画素セルに繋がる、請求項１〜８のいずれかに記載のゲート駆動回路。
【請求項１０】
前記ゲート線と画素セルとは、画素セル薄膜トランジスタを介して繋がり、
前記画素セル薄膜トランジスタは、ゲート電極が前記ゲート線に接続され、ドレイン電極が画素セルの画素電極に接続され、ソース電極がデータ線に接続される、請求項９に記載のゲート駆動回路。
【請求項１１】
前記１つのシフトレジスタ群における２つのシフトレジスタユニットは隣合って設置される、請求項１に記載のゲート駆動回路。
【請求項１２】
請求項１〜１１のいずれかに記載のゲート駆動回路を含む表示装置。
【請求項１３】
前記表示装置は、Ｎ行×Ｍ列画素セル、２Ｎ本のゲート線及びＭ／２本のデータ線を含み、
前記２Ｎ本のゲート線と前記Ｍ／２本のデータ線とは交差して前記画素セルを限定し、奇数ゲート線は奇数列画素セルに接続され、偶数ゲート線は偶数列画素セルに接続され、隣合う奇数画素セルと偶数画素セルは同じ１本のデータ線に接続され、前記２本のゲート線は隣合う奇数ゲート線と偶数ゲート線である、請求項１２に記載の表示装置。
【請求項１４】
請求項１３に記載の表示装置の駆動方法であって、
カスケードされたシフトレジスタユニットを順にオン・オフにし、前記制御ユニットによりオンとされたシフトレジスタユニットを制御し、前記２本のゲート線における奇数ゲート線又は偶数ゲート線に駆動信号を提供する現在フレーム走査と、
カスケードされたシフトレジスタユニットを順にオン・オフにし、前記制御ユニットにより前記オンとされたシフトレジスタユニットを制御し、前記２本のゲート線における偶数ゲート線又は奇数ゲート線に駆動信号を提供する次フレーム走査と、を含む、駆動方法。
【請求項１５】
前記現在フレーム走査は、
第ｎ個のシフトレジスタ群における第１のシフトレジスタユニットをオンにし、制御ユニットによりオンとされた第１のシフトレジスタユニットを制御し、オンとされた第１のシフトレジスタユニットに繋がる前記２本のゲート線における奇数ゲート線に駆動信号を提供し、データ線により第ｎ行の奇数列画素セルに充電することと、
第ｎ個のシフトレジスタ群における第２のシフトレジスタユニットをオンにし、制御ユニットによりオンとされた第２のシフトレジスタユニットを制御し、前記２本のゲート線における偶数ゲート線に駆動信号を提供し、データ線により第ｎ行の偶数列画素セルに充電ことと、を含み、
前記次フレーム走査は、
第ｎ個のシフトレジスタ群における第１のシフトレジスタユニットをオンにし、制御ユニットによりオンとされた第１のシフトレジスタユニットを制御し、オンとされた第１のシフトレジスタユニットに繋がる前記２本のゲート線における偶数ゲート線に駆動信号を提供し、データ線により第ｎ行の偶数列画素セルに充電することと、
第ｎ個のシフトレジスタ群における第２のシフトレジスタユニットをオンにし、制御ユニットによりオンとされた第２のシフトレジスタユニットを制御し、前記２本のゲート線における奇数ゲート線に駆動信号を提供し、データ線により第ｎ行の奇数列画素セルに充電ことと、を含み、
そのうち、隣合う２行の画素セルの充電極性は逆であり、同じ１本のデータ線に接続される隣合う２列の画素セルの充電極性は逆であり、異なるデータ線に接続される隣合う２列の画素セルの充電極性は同じであり、ｎはＮ以下の自然数である、請求項１４に記載の駆動方法。
【手続補正書】
【提出日】平成29年8月3日(2017.8.3)
【手続補正１】
【補正対象書類名】特許請求の範囲
【補正対象項目名】全文
【補正方法】変更
【補正の内容】
【特許請求の範囲】
【請求項１】
システムであって、
複数のコアと、各コアは、個々の温度勾配および個々の熱伝導率を有し、
各コアに関する漏れ電力を前記コアの生来の漏れ電流および現在の温度に基づいて解析的にモデル化することと、各コアに関する動的な電力を各コアに関する現在の電圧およびクロック周波数に基づいてモデル化することと、前記コアの漏れ電力および前記コアの動的な電力の合計に基づいて各コアに関する総電力消費を決定することと、を行うように構成された解析的コア電力およびサーマルモデラと、
各タスクがアイドルユースケースであるか、または低電力ユースケースであるかどうかに基づいて前記コアに関するタスクをスケジューリングするようにさらに構成された動的なスケジューラと、
を備え、
ここにおいて、前記システムは携帯電話機を備え、ユーザは、前記アイドルユースケースの間、前記携帯電話機と相互作用しておらず、前記携帯電話機は、前記アイドルユースケースの間、呼またはテキストを受信しておらず、前記動的なスケジューラは、前記アイドルユースケースのための最低の漏れ電力を有するコアを選択することと、前記低電力ユースケースのための最低の総電力消費を有するコアを選択することと、を行うように構成される、システム。
【請求項２】
前記動的なスケジューラは、前記コアの個々の温度勾配および前記コアの個々の熱伝導率から選択された各コアに関する熱パラメータに基づいて前記タスクをスケジューリングするようにさらに構成される、請求項１に記載のシステム。
【請求項３】
各コアに関する前記熱パラメータは前記コアの個々の熱伝導率である、請求項２に記載のシステム。
【請求項４】
前記動的なスケジューラは、ダイ上における各コアに関するロケーションに基づいて前記タスクをスケジューリングするようにさらに構成される、請求項２に記載のシステム。
【請求項５】
前記動的なスケジューラは、前記ダイ上における前記コアのロケーションの他の熱源への近接度に基づいて前記タスクをスケジューリングするようにさらに構成される、請求項４に記載のシステム。
【請求項６】
前記動的なスケジューラは、最近スケジューリングされたコアロケーションに対する前記コアロケーションの近接度に基づいて前記タスクをスケジューリングするようにさらに構成される、請求項４に記載のシステム。
【請求項７】
前記動的なスケジューラは、各コアの電力レギュレータの効率に基づいて前記コアに関する前記タスクをスケジューリングするようにさらに構成される、請求項２に記載のシステム。
【請求項８】
前記動的なスケジューラは、各タスクについて予想されるタスクタイム持続時間に基づいて前記タスクをスケジューリングするようにさらに構成される、請求項７に記載のシステム。
【請求項９】
前記動的なスケジューラは、各コアに関する前記総電力消費および各コアの電力レギュレータの効率に依存するシステム電力消費を決定するようにさらに構成され、ここにおいて、前記動的なスケジューラは、前記システム電力消費を最小にするように前記タスクをスケジューリングするようにさらに構成される、請求項７に記載のシステム。
【請求項１０】
複数のコアを有するマルチコアプロセッサを含む携帯電話機のための方法であって、
前記複数のコア内の各コアについて見積もられる漏れ電力を決定することと、ここにおいて、前記決定は、各コアに関する生来の漏れ電流、各コアの温度、および各コアに関する動作電圧に依存する解析モデルに応答し、各コアは、個々の温度勾配および個々の熱伝導率を有し、
各コアに関する動作電圧に基づいて各コアに関する動的な電力消費を決定することと、
前記コアの見積もられる漏れ電力および前記コアの動的な電力消費の合計に基づいて各コアに関する総電力消費を決定することと、
どのコアが最低の見積もられる漏れ電力を有するかに基づいてアイドルユースケースのタスクに前記コアのうちの１つをスケジューリングすることと、ここにおいて、ユーザは、前記アイドルユースケースのタスクの間、前記携帯電話機と相互作用しておらず、前記携帯電話機は、前記アイドルユースケースのタスクの間、呼またはテキストを受信しておらず、
どのコアが最低の総電力消費を有するかに基づいて低電力ユースケースのタスクに前記コアのうちの少なくとも１つをスケジューリングすることと、
前記コアの個々の温度勾配および前記コアの個々の熱伝導率から選択された各コアに関する熱パラメータに基づいて、およびどのコアが最低の温度を有するかに基づいて、高性能のユースケースのタスクに前記コアのうちの少なくとも１つをスケジューリングすることと、
を備える、方法。
【請求項１１】
各コアに関する前記熱パラメータは前記コアの個々の熱勾配であり、前記方法は、どのコアが最低の個々の熱勾配を有するかを決定することをさらに備え、前記高性能のユースケースのタスクに前記コアのうちの前記少なくとも１つを前記スケジューリングすることは、どのコアが前記最低の個々の熱勾配を有するかにさらに基づく、請求項１０に記載の方法。
【請求項１２】
各コアに関する前記熱パラメータは前記コアの個々の熱伝導率であり、前記方法は、どのコアが最高の個々の熱伝導率を有するかを決定することをさらに備え、前記高性能のユースケースのタスクに前記コアのうちの前記少なくとも１つを前記スケジューリングすることは、どのコアが前記最高の個々の熱伝導率を有するかにさらに基づく、請求項１０に記載の方法。
【請求項１３】
各コアに関する電力レギュレータの効率を決定することと、
各コアに関する前記電力レギュレータの効率に依存するシステムレベルの効率に基づいて、第２のタスクについてコアを選択することと、
をさらに備える、請求項１０に記載の方法。
【手続補正書】
【提出日】平成29年9月14日(2017.9.14)
【手続補正１】
【補正対象書類名】特許請求の範囲
【補正対象項目名】全文
【補正方法】変更
【補正の内容】
【特許請求の範囲】
【請求項１】
ミドルウェアマシン環境において、制御されかつ安全なファームウェアアップグレードをサポートするための方法であって、
ホストノードにおいてオペレーティングシステム（ＯＳ）のブートイメージを与えることを含み、前記ホストノードは入出力（Ｉ／Ｏ）デバイスを介して共有資源に接続し、前記方法はさらに、
前記ホストノードを管理するホスト管理者から、ファームウェアイメージおよびファームウェアアップデートの少なくとも１つを、前記ブートイメージを介して受信することと、
前記ホストノードに関連付けられる前記Ｉ／Ｏデバイスにおいてファームウェアを、前記ブートイメージを介してアップグレードすることとを含む、方法。
【請求項２】
ミドルウェアマシン環境において、制御されかつ安全なファームウェアアップグレードをサポートするためのシステムであって、
１つ以上のマイクロプロセッサと、
前記１つ以上のマイクロプロセッサ上で動作する、ホストノードにおけるオペレーティングシステム（ＯＳ）のブートイメージとを含み、前記ホストノードは共有資源に接続し、
前記ホストノード上における前記ブートイメージは、
前記ホストノードからファームウェアイメージおよびファームウェアアップデートの少なくとも１つを受信し、
前記ホストノードに関連付けられる前記Ｉ／Ｏデバイスにおいてファームウェアをアップグレードするよう動作する、システム。
【請求項３】
前記Ｉ／Ｏデバイスはホストチャネルアダプタ（ＨＣＡ）であり、前記共有資源はネットワークファブリックである、請求項２に記載のシステム。
【請求項４】
前記ブートイメージは前記ホストノードについてのローカル情報にアクセスすることを妨げられる、請求項２または３に記載のシステム。
【請求項５】
前記ブートイメージは、それ自体を、前記共有資源を管理する外部資源所有者により認証する、請求項２〜４のいずれか１項に記載のシステム。
【請求項６】
前記ブートイメージはパスワードを含み、前記パスワードは、前記ホストノードに関連付けられる前記Ｉ／Ｏデバイスにおいて、前記ファームウェアをアップグレードするよう用いられる、請求項２〜５のいずれか１項に記載のシステム。
【請求項７】
前記ブートイメージは前記Ｉ／Ｏデバイスを制御するのを妨げられる、請求項２〜６のいずれか１項に記載のシステム。
【請求項８】
前記ファームウェアイメージおよびファームウェアアップデートの少なくとも１つは暗号化される、請求項２〜７のいずれか１項に記載のシステム。
【請求項９】
前記Ｉ／Ｏデバイスは、前記ファームウェアイメージおよびファームウェアアップデートの受信される少なくとも１つを復号するよう動作する、請求項８に記載のシステム。
【請求項１０】
ホスト管理者は、前記Ｉ／Ｏデバイスに関連付けられる永続される記憶部に、要求されるファームウェアイメージバージョンを記憶すること、および、いつ前記ファームウェアアップグレードが実施されるのかを制御することを許される、請求項２〜９のいずれか１項に記載のシステム。
【請求項１１】
命令を含む機械読取可能なプログラムであって、前記命令は、実行されると、システムに、
共有資源に接続するホストノードにおいてオペレーティングシステム（ＯＳ）のブートイメージを与えることと、
ファームウェアイメージおよびファームウェアアップデートの少なくとも１つを、前記ブートイメージを介して受信することと、
前記ホストノードに関連付けられる前記Ｉ／Ｏデバイスにおいてファームウェアを、前記ブートイメージを介してアップグレードすることとを含む、ステップを実行させる、機械読取可能なプログラム。
【手続補正書】
【提出日】平成29年11月20日(2017.11.20)
【手続補正１】
【補正対象書類名】特許請求の範囲
【補正対象項目名】全文
【補正方法】変更
【補正の内容】
【特許請求の範囲】
【請求項１】
タッチセンサであって、
タッチ表面と、
誘電体コア層と、
少なくとも１つの第１圧電層及び第２圧電層であって、該誘電体コア層が、該第１圧電層と該第２圧電層との間に配置されており、各圧電層が分極圧電ポリマーを含む、少なくとも１つの第１圧電層及び第２圧電層と、
該第１圧電層を覆って配置されている少なくとも１つの第１セットの個々にアドレス可能な電極と、
該第２圧電層を覆って配置されている少なくとも１つの第２電極と、を備える、タッチセンサと、
該第１セットの電極及び該第２電極に接続されている回路であって、該回路が、該タッチ表面に加えられたタッチに応答する、該第２電極を基準とした、該第１セットの電極のうちの少なくとも１つの電極の電気信号の変化を検出するように構成されている、回路と、を備える、タッチパネル。
【請求項２】
タッチセンサを製造することであって、
コア層を少なくとも１つの圧電層と共押出しすることであって、該圧電層が該コア層の第１表面上に配置される、共押出しすることと、
該少なくとも１つの圧電層にわたって電界を印加することにより、該少なくとも１つの圧電層を分極させることと、
該圧電層を覆って第１セットの電極を形成することと、
該コア層の第２表面を覆って少なくとも１つの第２電極を形成することと、を含む、製造することと、
該タッチセンサに加えられたタッチに応答する、該第２電極を基準とした、該第１セットの電極のうちの少なくとも１つの電極の電気信号の変化を検出するように構成されている回路に、該第１セットの電極及び該第２セットの電極を接続することと、を含む、方法。